(57)【特許請求の範囲】
【請求項１】
複製防止のための記録装置であって、
不揮発性記録装置(Non-volatile memory)の特定領域に位置して、前記不揮発性記録装置の識別のためのＥＭＩＤを記録するＥＭＩＤ(Enhanced Media Identification)領域と、任意の値であらかじめ設定された演算によりＥＭＩＤを変形するＥＭＩＤエンコーダを含む前記不揮発性記録装置と、
前記不揮発性記録装置の読み出し及び書き込みを制御するためのコントローラと、を含み、
前記ＥＭＩＤ領域は、前記コントローラによる読み出し及び書き込みが防止され、前記ＥＭＩＤエンコーダのみにより利用される第１の領域と、前記コントローラにより読み出しが可能である第２の領域とを含み、
前記ＥＭＩＤエンコーダは、
ホスト装置から前記ＥＭＩＤの要請とＥＭＩＤエンコーディングのための値とを受信し、
前記第１の領域に記録された前記ＥＭＩＤと、前記ＥＭＩＤエンコーディングのための値と、ランダム値とで前記予め設定された演算により前記変形されたＥＭＩＤを生成し、
前記変形されたＥＭＩＤを前記ホスト装置に伝送することを特徴とする記録装置。
【請求項２】
前記ＥＭＩＤエンコーダは、ＥＭＩＤ変換オペレーションを遂行するＥＭＩＤ変換部と、前記ランダム値を生成するためのブラックボックスとを含むことを特徴とする請求項１に記載の記録装置。
【請求項３】
前記ＥＭＩＤエンコーダは、前記ランダム値を発生させるためのノイズジェネレータを含むことを特徴とする請求項１に記載の記録装置。
【請求項４】
前記ノイズジェネレータはＬＦＳＲ(Liner Feedback Shift Register)あるいはＰＲＮＧ(Pseudo Random Number Generator)を利用して構成されることを特徴とする請求項３に記載の記録装置。
【請求項５】
前記ランダム値の生成に使用されるシード(Seed）は、システム情報を利用して動的に(Dynamic)決定されることを特徴とする請求項３に記載の記録装置。
【発明の詳細な説明】
【技術分野】
【０００１】
本願発明は、複製防止のための不揮発性記録装置及びその記録装置の認証方法に関する。
【背景技術】
【０００２】
コンテンツ保護のためにデジタル著作権管理(Digital Rights Management:ＤＲＭ)、複写防止(copy protection)などの技術がコンテンツを記録するＳＳＤ(Solid State Disk)、フラッシュメモリカード(flash memory card)のような不揮発性メモリ(Non-Volatile Memory:ＮＶＭ)装置と結合され、コンテンツ自体の暗号化技術はもちろんのこと、記録装置のハードウェア側面(hardware:Ｈ／Ｗ）の適合性を検証する技術が要求される。
【０００３】
ＤＲＭ技術、ＳＤ(Secure Digital)カードのためのＣＰＲＭ(Content Protection for Recordable Media)技術及びブルーレイ(Blue-ray)ディスクのためのＡＡＣＳ(Advanced Access Content System)技術においては、公開鍵基盤(Public Key Infrastructure:ＰＫＩ)、または他の暗号技術(cryptographic technology）を利用した装置認証方法を提供するが、記録装置自体の複製、または適法なプレーヤ(Player)装置による不適合な記録媒体認証などの攻撃に対する解決策になることは難しい。
【０００４】
また、既存のチップ(chip)設計において、ハードウェア側でウォーターマーキング(Watermarking)、あるいは指紋(Fingerprinting)を挿入することで、問題が発生したハードウェアを確認する技術はあったものの、これは事後にセキュリティ盗用(security piracy)を追跡(tracing)することが主な目的であり、複製防止を事前に防止することができないため、機器の適合性をトランザクションタイム(transaction time)に検証する方法として使用されることは難しい。
【０００５】
ＳＤカードのＣＰＲＭ、ブルーレイディスクのためのＡＡＣＳ等の技術が提案する機器認証方法は、記録媒体生産当時に読み出し専用領域(Read-Only Area)として指定された位置に識別子(Identifier)を記録して、暗号スキーム(Cryptographic Scheme）を適用し、機器認証及びコンテンツ保護などに使用する方法であって、不法なハードウェア業者が手軽く多量の認証された機器を複製(Cloning)することができるという問題点を有している。
【０００６】
すなわち、コンテンツの不法流通のためにカード製作者（card fabricator）などが同じセキュリティ情報を有する複数のカードを生成して適法なコンテンツを複製することや、セキュリティ情報とコンテンツを読み出して同一情報を入れたカードを製作する攻撃を防ぐことは難しい。また、悪意を持つコントローラ(Malicious Controller)がファームウエア変更などを通してＮＡＮＤチップの識別子(Identifier)などをインターセプトして不適合認証に使用する攻撃に弱いという短所がある。
【０００７】
図１は、従来の記録媒体の不適合な認証動作の例を示した図面である。図１は、適合したメモリカード１１０に記録されたセキュリティ情報(Security Information)及びコンテンツを複製(Clone)カード１２０に記録１３０して、コントローラ(Controller）のファームウエア(Firmware)などを操作して適法なプレーヤ１４０に認証を成功１５０する攻撃を示す。
【０００８】
このような攻撃は、今後カード自体が廃棄される前まで不法コンテンツを記録したカードが流通されることを可能にするので、コンテンツ提供業者や端末企業等に大きな被害を及ぼすことになる。
【０００９】
高付加価値を有するコンテンツを記録装置に記録して販売/貸し出し(Sell/Rent)するシナリオにおいて、最も基本的に提供されなければならない保護(Security)技術は大量の不法的なハードウェア複製を不可能にする複製防止(Anti-cloning)技術である。ハードウェア複製攻撃の複雑性(Complexity)を高めるためには各記録装置が有する固有の、すなわち、衝突(Collision)確率が低い物理的性質を活用することが望ましい。
【００１０】
しかしながら、数ギカバイト(G byte)から数百ギカバイトに至るメモリサイズ増加により、メモリ全体の物理的な性質をすべて活用することは効率的ではなく、特定領域を限定して利用することも複製(Cloning)攻撃の複雑性を低くするため、複製防止技術として活用されることは難しい。
【発明の概要】
【発明が解決しようとする課題】
【００１１】
本願発明は、適法なコンテンツを有する記録媒体を装う攻撃に強い複製防止のための不揮発性記録装置及びその記録装置の認証方法を提供する。
【課題を解決するための手段】
【００１２】
これを達成するための本願発明の一実施形態によれば、複製防止のための不揮発性記録装置(Non-volatile memory)であって、上記記録装置の特定領域に位置し、上記記録装置の識別のためのＥＭＩＤを記録するＥＭＩＤ(Enhanced Media Identification)領域と、上記ＥＭＩＤを任意の値であらかじめ設定された演算により変形するＥＭＩＤエンコーダを含むことを特徴とする。
【００１３】
本願発明の他の形態によれば、複製防止のための不揮発性記録装置(Non-volatile memory）の認証方法において、上記記録装置の特定領域に位置したＥＭＩＤ(Enhanced Media Identification)領域に上記記録装置の識別のためのＥＭＩＤを記録する上記記録装置がホスト装置から上記ＥＭＩＤの要請を受信する過程と、上記ＥＭＩＤを任意の値とのあらかじめ設定された演算により変形する過程と、上記要請に対する応答で上記変形されたＥＭＩＤをホスト装置に伝送する過程とを含むことを特徴とする。
【発明の効果】
【００１４】
本願発明は、不揮発性記録装置(Non-Volatile Memory）の限定された領域の物理的性質を利用し、記録装置内部にノイズ(Noise)を発生させる構成を備えて制限された領域の情報を抽出する時、動的に(Dynamic)情報を加工する装置を提供する。これにより、本願発明は不揮発性記録装置にアセンブル(Assemble)されたコントローラ(Controller）等によるIn-direct(Man-in-the middle)攻撃などに強い記録媒体を提供することができる効果がある。
【図面の簡単な説明】
【００１５】
【図１】従来の記録媒体の不適合な認証動作の例を示した図面である。
【図２】本願発明の一実施形態による記録媒体認証動作のための技術モデルの例を示した図面である。
【図３】本願発明の一実施形態による記録装置の認証動作遂行時の記録装置の構成を示した図面である。
【図４】本願発明の一実施形態による記録装置のノイズ生成方式を概略的に示した図面である。
【図５】本願発明の一実施形態による不揮発性記録媒体の構成を示した図面である。
【図６】本願発明の一実施形態による記録装置認証時の記録装置の動作の流れを示した図面である。
【発明を実施するための形態】
【００１６】
以下、添付した図面を参照して、本願発明を構成する装置及び動作方法を本願発明の実施形態を参照しながら詳細に説明する。下記説明では、具体的な構成素子などのような特定事項が示されているが、これは本願発明のより全般的な理解のために提供されているだけで、このような特定事項が本願発明の範囲内で所定の変形、あるいは変更が可能であることは、この技術分野で通常の知識を有する者には明らかである。また、本願発明を説明において、本願発明に関連した公知技術に対する具体的な説明が本願発明の要旨を必要もなく不明瞭にすると判断される場合には、その詳細な説明を省略する。
【００１７】
本願発明の実施形態は、複製防止のための不揮発性記録媒体及びその記録媒体の認証方法を提供する。この目的を達成するために、記録媒体の特定領域に符号化された識別子であるＥＭＩＤ(Enhanced Media Identification)が挿入される。記録媒体は、ＥＭＩＤにおいてノイズを発生させる手段を備え、ＥＭＩＤ要請を受信した場合はＥＭＩＤにノイズを加え、ノイズが加えられたＥＭＩＤを提供して認証を遂行する。
【００１８】
本願発明の実施形態に係る一連の認証過程において使用される、記録媒体、レコーディング装置、再生装置の製造時のＥＭＩＤ生成のための手段、又はＥＭＩＤをデコーディングする手段を、図２を通じて説明する。
【００１９】
図２は、本願発明の一実施形態による記録媒体認証動作のための技術モデルの例を示した図面である。
【００２０】
図２を参照すると、まず、本願発明の記録装置認証方式を決定するためのライセンス機関(License Authority)２１０は、ＩＤを符号化するためのＥＭＩＤジェネレータ２１２と、ＥＭＩＤを復号化するためのＩＤデコーダ２１３と、デコーディング方式を決定するコードパラメータを生成するためのコードパラメータジェネレータ２１１とを決定する。
【００２１】
キオスク(Kiosk)とコンテンツ管理者(Contents Aggregator)のように、記録装置にコンテンツを記録して、コンテンツを提供するためのコンテンツ提供業者(Content providing entity）２２０は、ライセンス機関２１０を通し決定されたＩＤデコーダ２１３が伝達されて、復号化されたコードパラメータと変形された(ノイズが加えられた)ＥＭＩＤを元のＩＤに変更する機能を利用でき、このような機能を利用し記録装置の物理的識別子を認証して適法なコンテンツを記録装置の物理的識別子にバインディングしてコンテンツレコーディングを遂行する。
【００２２】
また、記録装置のコンテンツを再生するためのプレーヤを製造する製造業者(Player manufacturer)２３０は、ライセンス機関２１０が通し決定されたＩＤデコーダ２１３を伝達されて、復号化されたコードパラメータと変形された(ノイズが加えられた)ＥＭＩＤを元のＩＤに変更する機能を利用することができる。プレーヤ製造業者２３０は、このような機能を含む再生装置を製造し、このように製造されたコンテンツ再生装置は、記録装置の物理的識別子を認証して、適法な記録装置に記録されたコンテンツを本願発明の認証方法を通し再生することができる。
【００２３】
記録装置を製造する製造業者(ＮＶＭ manufacturer)２４０は、ライセンス機関２１０を通し決定されたＥＭＩＤジェネレータ２１２が伝達される。記録装置を製造する製造業者２４０は、記録装置製造時、ＥＭＩＤジェネレータ２１２を利用してエンコーディングされたＩＤであるＥＭＩＤ(Enhanced Media Identification)を生成して、プログラミング装置（Programming Equipment）２４２を通し、記録装置の特定領域に一度だけＥＭＩＤを記録できるようにＥＭＩＤを挿入する過程を遂行することで、特定領域にＥＭＩＤが記録され、ＩＤの署名値(signature on ＩＤ）と暗号化されたコードパラメータ(Encrypted code parameters)が含まれた記録装置を製造する。
【００２４】
上記ＥＭＩＤは、記録装置の特定領域に一度だけ記録されるので、以後の該当領域に対する書込みは制限(read only)され、読み出しは、特別なインターフェースを通してのみ遂行することができる。
【００２５】
図３は、本願発明の一実施形態による記録装置の認証動作遂行時の認証システムの構成を示した図面である。
【００２６】
本願発明の一実施形態による記録装置３１０は、図３に示したようにフラッシュメモリのような記録媒体で有り得る。
【００２７】
記録装置３１０は、記録装置の入出力、読み出し/書き込みを制御するためのコントローラ３１６と、データを記録するためのＮＡＮＤフラッシュ（Flash）のような不揮発性メモリ領域３１１を含む。メモリ領域３１１は、ＥＭＩＤを記録するための任意の指定されたＥＭＩＤ領域３１２と、ＥＭＩＤにノイズを発生させＥＭＩＤを変形するためのＥＭＩＤエンコーダ３１８とを含む。
【００２８】
ＥＭＩＤ領域３１２は、タイプ１領域とタイプ２領域とを含んで構成される。タイプ１領域は、不揮発性メモリ領域３１１内部のみで利用される領域であって、記録装置の工程完了以後には記録装置のレコーディング、あるいは再生を遂行するホストデバイスや、コントローラ３１６などによる読み出及び書き込みが防止される。タイプ２領域は、記録装置３１０の読み出し命令により、レコーディング装置や再生装置のようなホスト装置が読むことができる領域である。
【００２９】
ＥＭＩＤエンコーダ３１８は、ＥＭＩＤ変換オペレーションを遂行するＥＭＩＤ変換部３１４とＥＭＩＤ変換オペレーション遂行時に使用されるランダムエラーを生成するためのブラックボックス３１３とを含む。ＥＭＩＤエンコーダ３１８は、ブラックボックス３１３を通し生成されたランダム値、すなわち、ランダムエラーと、ＥＭＩＤ領域３１２のタイプ１領域に含まれたメモリ領域３１１の固有の情報と、事前にホスト装置から受信したＥＭＩＤエンコーディングオペレーションのための値とであらかじめ設定された演算を通しＥＭＩＤ値を変形してノイズを発生させる。
【００３０】
ブラックボックス３１３は、ＥＭＩＤ変換部３１４でＥＭＩＤ変換オペレーション時に使用される特定シード(seed)情報を含むか、あるいは、特定追加回路を通しシード情報をランダムで発生させることができる。また、システムで発生する要素を利用する場合、シード情報を動的に(Dynamic)生成することができる。
【００３１】
ＥＭＩＤジェネレータ３２０は、ＩＤとして選ばれた値に対してあらかじめ設定された方式でエンコーディングを遂行してＥＭＩＤ３０９を生成する。
【００３２】
ＥＭＩＤデコーダ３３０は、ノイズが加えられた少なくとも一つ以上のＥＭＩＤ３１５が入力されて元のＥＭＩＤ値を復元する。
【００３３】
ＥＭＩＤエンコーダ３１８は、ＥＭＩＤ領域３１２に挿入された物理的識別子、すなわちＥＭＩＤ３０９を抽出時にノイズを発生させる。このようなＥＭＩＤエンコーダ３１８は、乱数発生器(Random number generator)やスクランブラー(Scrambler)などを使用することができる。ＥＭＩＤエンコーダ３１８は複数のノイズが加えられたＥＭＩＤを生成する。
【００３４】
一方、コントローラ３１６は、記録装置３１０のレコーディング、あるいは再生時に、レコーディング、あるいは再生装置のＥＭＩＤ要請３１７によりノイズが加えられたＥＭＩＤ３１５を該当装置のＥＭＩＤデコーダ３３０に伝達する。すなわち、コントローラ３１６は、記録装置３１０にコンテンツをレコーディングするためのレコーディング装置、あるいは、記録装置３１０に記録されたコンテンツを再生するための再生装置からＥＭＩＤ情報の要請３１７を受信して、要請３１７によりノイズが加えられたＥＭＩＤ情報を上記再生あるいはレコーディング装置に伝達する。
【００３５】
まず、再生あるいはレコーディング装置から記録装置３１０のＥＭＩＤを要請する命令(Command）が受信されると、コントローラ３１６は、記録装置３１０のＥＭＩＤ領域３１２を読む命令を不揮発性メモリ領域３１１に伝達する。不揮発性メモリ領域３１１は該当命令に対して、ＥＭＩＤ領域３１２から読み出したＥＭＩＤ３０９に、本願発明によるノイズを生成/挿入する方式のうちひとつを利用し、ＥＭＩＤ３０９にノイズを発生して、このようにノイズが発生し変換されたＥＭＩＤ３１５をコントローラ３１６を通しレコーディング、あるいは再生装置に伝達する。これにより、本願発明は、不揮発性メモリ領域３１１外の外部装置、例えばコントローラ３１６などはＥＭＩＤ領域３１２に記録された値をそのままアクセス(Access)することができないという特徴がある。
【００３６】
本願発明の一実施形態において、記録装置３１０は、ＥＭＩＤ情報にラムダムエラーを生成させノイズが加えられたＥＭＩＤ情報を生成するＥＭＩＤエンコーダ３１８を含む。
【００３７】
図４は、本願発明の一実施形態による記録装置のノイズ生成方式を概略的に示した図面である。ＥＭＩＤにノイズを挿入する方法（図３の方法１）は、不揮発性記録媒体３１１の読み出し動作(Read Operation)で遂行されるマージン(margin)電圧値を変更することができる。図４に示したように、正常なリードマージン(Read Verification Margin)によりＥＭＩＤ領域３１２を読み出す場合には、元のＥＭＩＤ値３０９が読み出されるが、リードマージンが特定範囲に拡大される場合には、ランダムでエラーが発生するようになる。本願発明では、このようにリードマージンを特定範囲に拡大してノイズが加えられたＥＭＩＤを生成する。本願発明ではこのような方式でＥＭＩＤを数回読み出してノイズが加えられた複数のＥＭＩＤ(ＥＭＩＤ＿１、ＥＭＩＤ＿２、...ＥＭＩＤ＿Ｎ)を生成することができる。
【００３８】
この時、コントローラ３１６のような外部装置は、このような動作を制御することができないように構成し、ＥＭＩＤ領域３１２に限定されて不揮発性メモリ３１１自体でリードマージン(Read Margin）を変更できるように設定する。
【００３９】
ＥＭＩＤ値にノイズを挿入するもう一つの方法（図３の方法２）は、ＥＭＩＤ３０９にランダムエラーを発生させるための別途の回路を構成する方法の例である。本願発明の一実施形態では、ＬＦＳＲ(Liner Feedback Shift Register)、ＰＲＮＧ(Pseudo Random Number Generator)などのランダムエラーを発生させるためのノイズジェネレータを利用して、ＥＭＩＤ変換部３１４とブラックボックス３１３とを構成する。この方法は、コントローラ３１６によりＥＭＩＤ領域３１２の値が要請される場合、ＥＭＩＤエンコーダ３１８がＥＭＩＤ領域３１２に挿入された値であるＥＭＩＤ値３１５とブラックボックス３１３で生成された値を利用してノイズが挿入されたＥＭＩＤ３１５を出力する。ＥＭＩＤエンコーダ３１８の設計には、ＬＦＳＲやＰＲＮＧなどのようなランダムエラーを発生させる技術が活用でき、シード(Seed)値はシステム情報で動的に(Dynamic)決定されることができる。
【００４０】
一方、記録装置の特定位置に記録されたＥＭＩＤ３０９は、コンテンツレコーディング、あるいは再生装置の要請によりＥＭＩＤエンコーダ３１８を通し、ノイズが加えられた複数のＥＭＩＤ３１５に変換される。本願発明は、ＥＭＩＤを抽出時、本発願明の特徴によりノイズが加えられた複数のＥＭＩＤを生成する過程を複数回遂行することができる。この場合、ＥＭＩＤエンコーダ３１８がノイズを発生した複数のＥＭＩＤを一度生成する過程を１ラウンド(Round)とすると、本願発明では、再生あるいはレコーディング装置（図示せず）が記録装置３１０から複数回ＥＭＩＤを要請し、記録装置３１０が各要請時(ラウンド)ごとにＥＭＩＤエンコーダ３１８を通し、該当ラウンドの変形された複数のＥＭＩＤを生成して再生あるいはレコーディング装置に伝送する。
【００４１】
図５は、本願発明の一実施形態による不揮発性記録媒体の構成を示した図面である。
【００４２】
図５を参照すると、上記本願発明の不揮発性記録媒体（あるいは、ＮＶＭメモリ領域）３１１は、ＥＭＩＤを記録するための任意の指定されたＥＭＩＤ領域３１２と、ＥＭＩＤにノイズを発生させてＥＭＩＤを変換するためのＥＭＩＤ変換部３１４とＥＭＩＤ変換時に使用されるランダムエラー値を生成するためのブラックボックス３１３を含むＥＭＩＤエンコーダ３１８と、を含む。
【００４３】
ＥＭＩＤエンコーダ３１８は、ＥＭＩＤ領域３１２に挿入された物理的識別子、すなわちＥＭＩＤを抽出時、抽出された物理的識別子、すなわちＥＭＩＤにノイズを挿入する。ＥＭＩＤエンコーダ３１８は、ＥＭＩＤ変換部３１４により発生されたランダムエラーを含む複数のノイズが加えられたＥＭＩＤを生成する。本願発明は、記録装置の複製を防止するために、不揮発性メモリ領域３１１外の外部装置、例えばコントローラ３１６などはＥＭＩＤ領域３１２に記録された値をそのままアクセス(Access)することができないという特徴がある。
【００４４】
図６は、本願発明の一実施形態による記録装置の認証時、記録装置の動作の流れを示した図面である。
【００４５】
図６を参照すると、まず、ステップ６１０で、記録装置３１０は再生またはレコーディング装置からＥＭＩＤを読み出すための要請を受信する。詳細には、記録装置３１０は、再生またはレコーディング装置からコントローラ３１６を通し、ＥＭＩＤを読み出すための要請を受信して不揮発性メモリ領域３１１に伝達する。
【００４６】
ステップ６２０で、不揮発性メモリ領域３１１は、ＥＭＩＤ領域３１２からＥＭＩＤを読み出して、読み出し動作時、リードマージンを変更する方法１か、 図３で示すように、ＥＭＩＤエンコーダ３１８を利用する方法２の中からいずれかを利用してＥＭＩＤを変換してノイズが加えられた複数のＥＭＩＤ３１５を生成する。
【００４７】
ステップ６３０では、ステップ６２０で生成されたノイズが加えられた複数のＥＭＩＤをコントローラ３１６を通し再生またはレコーディング装置に伝達する。
【００４８】
上記のように、本願発明の一実施形態は、不揮発性記録装置の認証方法及び装置の動作及び構成を提供する。
【００４９】
以上、本願発明を具体的な実施形態を参照して詳細に説明してきたが、本願発明の範囲及び趣旨を逸脱することなく様々な変更が可能であるということは、当業者には明らかであり、本願発明の範囲は、上述の実施形態に限定されるべきではなく、特許請求の範囲の記載及びこれと均等なものの範囲内で定められるべきである。
【符号の説明】
【００５０】
１１０  メモリカード
１２０  複製（Ｃｌｏｎｅ）カード
１４０  プレーヤ
２１０  ライセンス機関（Ｌｉｃｅｎｓｅ  Ａｕｔｈｏｒｉｔｙ）
２１１  コードパラメータジェネレータ
２１２  ＥＭＩＤジェネレータ
２１３  ＩＤデコーダ
２２０  コンテンツ提供業者（Ｃｏｎｔｅｎｔ  ｐｒｏｖｉｄｉｎｇ  ｅｎｔｉｔｙ）
２３０  プレーヤ製造業者（Ｐｌａｙｅｒ  ｍａｎｕｆａｃｔｕｒｅｒ）
２４０  記録装置を製造する製造業者（ＮＶＭ  ｍａｎｕｆａｃｔｕｒｅｒ）
２４２  プログラミング装置（Ｐｒｏｇｒａｍｍｉｎｇ  Ｅｑｕｉｐｍｅｎｔ）
３０９  ＥＭＩＤ値
３１０  記録装置
３１１  不揮発性メモリ領域、不揮発性記録媒体（あるいは、ＮＶＭメモリ領域）、不揮発性メモリ
３１２  ＥＭＩＤ領域
３１３  ブラックボックス
３１４  ＥＭＩＤ変換部
３１５  ＥＭＩＤ値
３１６  コントローラ
３１７  ＥＭＩＤ情報の要請
３１８  ＥＭＩＤエンコーダ
３２０  ＥＭＩＤジェネレータ
３３０  ＥＭＩＤデコーダ
【図１】
0005629008.tif 000002
【図２】
0005629008.tif 000003
【図３】
0005629008.tif 000004
【図４】
0005629008.tif 000005
【図５】
0005629008.tif 000006
【図６】
0005629008.tif 000007